(57)【要約】      （修正有）【課題】押圧時に表示画像の乱れが無く、表示画像の視認性も良好な、押圧検出機能付表示装置を提供する。【解決手段】押圧検出機能付表示装置は、液晶表示装置５、液晶表示装置収納部６、静電容量式の押圧検出装置１０で構成される。液晶表示装置５は、上部にカバーガラス板２１を有する。液晶表示装置収納部６は、液晶表示装置５を収納する収納空間３ｂを有し、収納空間３ｂはカバーガラス板の周囲を支持して液晶表示装置を支持する枠状壁部３ａと、液晶表示装置の底面に対向配置された平坦な底部４ａとを有する。押圧検出装置１０は、収納部の底部に配置された下部電極３１と、液晶表示装置に備えられた上部電極３２とで構成されて、下部電極と上部電極との間の静電容量の変化を基に押圧力を検出する。【選択図】図１
2017083942.tif 000002
【特許請求の範囲】
【請求項１】
上部にカバーガラス板（２１）を有する液晶表示装置（５）と、
前記液晶表示装置の前記カバーガラス板の周囲を支持して前記液晶表示装置を支持する枠状壁部（３ａ）と、前記液晶表示装置の底面に対向配置された平坦な底部（４ａ）とを有して、前記液晶表示装置を収納する収納空間（３ｂ）を構成する液晶表示装置収納部（６）と、
前記液晶表示装置収納部の前記底部に配置されかつ複数の行電極と複数の列電極とで構成される下部電極（３１）と、前記液晶表示装置に備えられた上部電極（３２）とで構成されて、前記行電極と前記列電極との静電容量の変化を基に押圧力を検出する静電容量式の押圧検出装置（１０）とを備える、押圧検出機能付表示装置。
【請求項２】
上部にカバーガラス板（２１）を有する液晶表示装置（５）と、
前記液晶表示装置の前記カバーガラス板の周囲を支持して前記液晶表示装置を支持する枠状壁部（３ａ）と、前記液晶表示装置の底面に対向配置された平坦な底部（４ａ）とを有して、前記液晶表示装置を収納する収納空間（３ｂ）を構成する液晶表示装置収納部（６）と、
前記液晶表示装置収納部の前記底部に配置された下部電極（３１）と、前記液晶表示装置に備えられた上部電極（３２）とで構成されて、前記下部電極と前記上部電極との間の静電容量の変化を基に押圧力を検出する静電容量式の押圧検出装置（１０）とを備える、押圧検出機能付表示装置。
【請求項３】
前記押圧検出装置の前記上部電極（３２）は、前記液晶表示装置の液晶電極（２０）を兼用する、請求項１又は２に記載の押圧検出機能付表示装置。
【請求項４】
前記液晶表示装置の前記液晶電極に対して駆動信号を出力して駆動制御する第１制御部（５Ｃ）と、
前記第１制御部から前記駆動信号の電圧一定区間を取得し、取得した前記駆動信号の電圧一定区間の間でのみ、前記液晶電極を前記上部電極として利用して静電容量を検出する第２制御部（１０Ｃ）とをさらに備える、請求項３に記載の押圧検出機能付表示装置。
【請求項５】
前記押圧検出装置の前記上部電極（３２）は、前記液晶表示装置の下部偏光板（１９）の上面に配置されている、請求項１又は２に記載の押圧検出機能付表示装置。
【請求項６】
前記押圧検出装置の前記上部電極（３２）は、前記液晶表示装置の下部偏光板（１９）の下面に配置されている、請求項１又は２に記載の押圧検出機能付表示装置。
【請求項７】
前記押圧検出装置の前記上部電極（３２）は、前記液晶表示装置の反射板（１３）を兼用する、請求項１又は２に記載の押圧検出機能付表示装置。
【請求項８】
前記押圧検出装置の前記上部電極（３２）は、前記液晶表示装置の反射板（１３）の下面に配置されている、請求項１又は２に記載の押圧検出機能付表示装置。
【発明の詳細な説明】
【技術分野】
【０００１】
本発明は、静電容量式タッチパネルを用いて応力を検知する押圧検出機能付表示装置に関する。
【背景技術】
【０００２】
従来、静電容量式タッチパネルを用いて応力を検知する方法としては、（Ａ）抵抗膜方式タッチパネルとの併用、（Ｂ）弾性体の上下に電極を配置しその静電容量の変化を検知する方法、（Ｃ）圧電体を用いた方法、などが知られている（例えば、特許文献１参照。）。
【先行技術文献】
【特許文献】
【０００３】
【特許文献１】特開２０１３−０２０３７０号公報
【発明の概要】
【発明が解決しようとする課題】
【０００４】
しかしながら、このうち、（Ａ）及び（Ｂ）の方法は、ディスプレイの上部に配置した構造物の変形を伴うため、ニュートンリングなどによる表示画像の乱れが避けられないといった問題があった。また、良好な歪み特性を持つ弾性体としては、例えば発抱体などがあるが、光の透過率の低下及びヘイズ値の上昇を引き起こすため、表示画像の視認性を阻害するといった問題があった。
【０００５】
従って、本発明の目的は、上記問題を解決することにあって、押圧時に表示画像の乱れが無く、表示画像の視認性も良好な、押圧検出機能付表示装置を提供することにある。
【課題を解決するための手段】
【０００６】
上記目的を達成するために、本発明は以下のように構成する。
【０００７】
本発明の１つの態様によれば、上部にカバーガラス板を有する液晶表示装置と、
前記液晶表示装置の前記カバーガラス板の周囲を支持して前記液晶表示装置を支持する枠状壁部と、前記液晶表示装置の底面に対向配置された平坦な底部とを有して、前記液晶表示装置を収納する収納空間を構成する液晶表示装置収納部と、
前記液晶表示装置収納部の前記底部に配置されかつ複数の行電極と複数の列電極とで構成される下部電極と、前記液晶表示装置に備えられた上部電極とで構成されて、前記行電極と前記列電極との静電容量の変化を基に押圧力を検出する静電容量式の押圧検出装置とを備える、押圧検出機能付表示装置を提供する。
【０００８】
また、本発明の別の態様によれば、上部にカバーガラス板を有する液晶表示装置と、
前記液晶表示装置の前記カバーガラス板の周囲を支持して前記液晶表示装置を支持する枠状壁部と、前記液晶表示装置の底面に対向配置された平坦な底部とを有して、前記液晶表示装置を収納する収納空間を構成する液晶表示装置収納部と、
前記液晶表示装置収納部の前記底部に配置された下部電極と、前記液晶表示装置に備えられた上部電極とで構成されて、前記下部電極と前記上部電極との間の静電容量の変化を基に押圧力を検出する静電容量式の押圧検出装置とを備える、押圧検出機能付表示装置を提供する。
【発明の効果】
【０００９】
本発明の前記態様によれば、液晶表示装置の表示部よりも内部側の部分に押圧検出装置を組み込んでいるため、カバーガラス板の押圧時に、カバーガラス板から液晶表示装置に伝わる押圧力により電極間で静電容量が変化し、その変化を基に押圧検出装置で押圧力を検出することができる。よって、表示画像の視認性を損なうことがない。また、既存構造への追加部材が少なく、従来の方法よりも薄型化できる。
【図面の簡単な説明】
【００１０】
【図１】本発明の実施形態にかかる押圧検出機能付表示装置の縦断面図である。
【図２Ａ】図１の押圧検出機能付表示装置の分解斜視図である。
【図２Ｂ】図１の押圧検出機能付表示装置のＴＦＴ電極が本来の液晶電極として機能するときの回路図である。
【図２Ｃ】図１の押圧検出機能付表示装置のＴＦＴ電極が静電容量式の押圧検出装置の上部電極として機能するときの回路図である。
【図２Ｄ】隣接した行電極と列電極との間の電界線の例を示す説明図である。
【図３】本発明の実施形態の変形例にかかる図１の押圧検出機能付表示装置の押圧検出装置の上部電極と下部電極などの説明図である。
【図４】本発明の実施形態の別の変形例にかかる図１の押圧検出機能付表示装置の縦断面図である。
【図５】本発明の実施形態の第１変形例にかかる図１の押圧検出機能付表示装置の縦断面図である。
【図６】本発明の実施形態の第２変形例にかかる図１の押圧検出機能付表示装置の縦断面図である。
【図７】本発明の実施形態の第３変形例にかかる図１の押圧検出機能付表示装置の縦断面図である。
【図８】本発明の実施形態の第４変形例にかかる図１の押圧検出機能付表示装置の縦断面図である。
【発明を実施するための形態】
【００１１】
以下に、本発明にかかる実施の形態を図面に基づいて詳細に説明する。
【００１２】
本発明の１つの実施形態にかかる押圧検出機能付表示装置４０は、図１に示すように、液晶表示装置５と、液晶表示装置収納部６と、静電容量式の押圧検出装置１０とを備えて構成している。
【００１３】
液晶表示装置５は、一例としてＩＰＳ方式の液晶表示装置であって、上部にカバーガラス板２１を有する。カバーガラス板２１は、剛性を有しているが、指などで押圧すると、若干下方に湾曲可能となっている。
【００１４】
液晶表示装置５は、カバーガラス板２１と、上部偏光板１８と、カラーフィルタ１７と、液晶セル１６と、液晶電極として機能するＴＦＴ電極２０と、ガラス基板１５と、下部偏光板１９と、導光板１４と、反射板１３と、ＬＥＤ１２とで構成されている。カバーガラス板２１は、上部偏光板１８から反射板１３までの液晶表示装置本体部５ａよりも周囲に鍔状に張り出している。ＴＦＴ電極２０は、液晶表示装置５の第１制御部５Ｃに電気的に接続されて、駆動信号をＴＦＴ電極２０に出力して、ＴＦＴ電極２０のＯＮ又はＯＦＦを動作制御している。
【００１５】
液晶表示装置収納部６は、液晶表示装置５を収納する収納空間３ｂをその内側に有している。収納空間３ｂは、少なくとも、液晶表示装置５のカバーガラス板２１の周囲を支持して液晶表示装置５を吊り下げ支持する枠状壁部３ａと、液晶表示装置５の底面（裏面）に対向して配置された平坦な底部４ａとで構成されている。液晶表示装置収納部６は、通常は四角形など任意の形状の枠状の枠部材３で構成されている。枠部材３は、金属製又は合成樹脂製などで構成されている。図１及び図２Ａでは、枠部材３の中間部に、上面が平坦な底部４ａとして機能しかつ金属シールド機能を有するステンレスなど金属製の四角形板状の仕切り板４が固定されている。枠部材３の下端は、ケース１の上端に固定されている。よって、仕切り板４の下方と枠部材３の下部とケース１との間の空間には、表示装置４０の動作を制御する制御基板７とバッテリ２などが収納配置されている。一方、仕切り板４の上方と枠部材３の上部とで、前述した収納空間３ｂを構成している。
【００１６】
静電容量式の押圧検出装置１０は、収納部６の底部４ａに固定配置された下部電極３１と、液晶表示装置５に備えられた上部電極３２と、下部電極３１と上部電極３２とがＦＰＣ（フレキシブルプリント基板）などで電気的に接続される第２制御部１０Ｃとで構成されている。よって、押圧検出装置１０は、下部電極３１と上部電極３２との間の静電容量の変化を基に、少なくとも押圧力、例えば押圧力とその押圧位置(入力位置)とを第２制御部１０Ｃで検出している。
【００１７】
液晶表示装置５に上部電極３２を備える方法の一例として、図１に示すように、ＴＦＴ電極２０を上部電極３２として兼用している。すなわち、ＴＦＴ電極２０は、通常は、分割された多数の分割電極で構成されて、ＴＦＴ電極２０の分割電極を液晶電極としてそれぞれ機能させるときは、第１制御部５Ｃからの駆動信号で個別にＯＮ又はＯＦＦ制御されている。一例として、図２Ｂは、ＴＦＴ電極２０が本来の液晶電極として機能するときの回路図であり、ＴＦＴ電極２０の各分割電極は、スイッチング回路２０ａを介して、ゲート駆動回路２０ｂとドレイン駆動回路２０ｃとにそれぞれ接続されている。一方、ＴＦＴ電極２０を上部電極３２として機能させるときは、全ての分割電極を一個の電極のように取り扱うように第２制御部１０Ｃに接続している。一例として、図２Ｃは、ＴＦＴ電極２０が静電容量式の押圧検出装置１０の上部電極３２として機能するときの回路図であり、ＴＦＴ電極２０の全ての分割電極は、スイッチング回路２０ａを介してＧＮＤ電位に接続（接地）されて、ゲート駆動回路２０ｂとドレイン駆動回路２０ｃとには接続されていない。なお、ゲート駆動回路２０ｂとドレイン駆動回路２０ｃとは、液晶表示装置５の第１制御部５Ｃ内に備えられている。
【００１８】
液晶表示装置５に上部電極３２を備える一方、収納部６の底部４ａに下部電極３１を固定配置して、液晶表示装置５の湾曲を許容するために液晶表示装置５の底面と収納部６の底面との間に形成する隙間１１を、少なくとも上部電極３２と下部電極３１との間に介在させる隙間として利用して、静電容量式の押圧検出装置１０を構成している。この隙間１１は、一例として空気層で構成され、液晶表示装置５に配置された上部電極３２の湾曲を許容する誘電体として機能する。隙間１１の具体的な例としては、０．１ｍｍ〜２ｍｍ程度の隙間であり、一例としては０．５ｍｍの隙間である。
【００１９】
押圧検出装置１０の第２制御部１０Ｃは、液晶表示装置５の第１制御部５Ｃから、駆動信号の電圧一定区間を取得する。駆動信号の電圧がＯＮからＯＦＦのときの区間、駆動信号の電圧がＯＦＦからＯＮのときの区間は、それぞれ、電圧が大きく変動して誤差要因となるため、押圧検出装置１０での第２制御部１０Ｃによる検出動作には利用しないようにしている。すなわち、第２制御部１０Ｃは、液晶表示装置５の第１制御部５Ｃから取得した駆動信号の電圧一定区間の間でのみ、ＴＦＴ電極２０を上部電極３２として利用して静電容量を検出するようにしている。
【００２０】
液晶表示装置５の第１制御部５Ｃと、押圧検出装置１０の第２制御部１０Ｃとは、表示装置４０の第３制御部４０Ｃにそれぞれ接続されている。よって、押圧検出装置１０の第２制御部１０Ｃによる押圧検出の結果に基づき、第３制御部４０Ｃの制御動作により、第１制御部５Ｃを介して液晶表示装置５の表示を制御したり、表示装置４０の動作を制御したりする。
【００２１】
下部電極３１の形状は、一例として、所定のパターンの電極とすることができる。
【００２２】
ここで、上部電極３２と下部電極３１との具体的な例を図３に示す。ＴＦＴ電極２０を上部電極３２として利用するときは上部電極３２の全ての分割電極を接地電位とするため、上部電極３２の形状を、単純化して１つの電極として図３に示す一方、下部電極３１の形状は、所定のパターンの電極として図３に示している。
【００２３】
図３の所定のパターンは、一例として、複数点の押圧箇所を検出することができるタイプであるため、互いに平行な一連の菱形の行電極５１と、互いに平行な一連の菱形の列電極５２とが直交して格子パターン形状を構成している。すなわち、下部電極３１として図３に例示されるパターン化電極は、行と列とが重なる電極が菱形パターンに形成される、菱形パターン形成配列に従ってレイアウトされたものである。この例では、行電極５１及び列電極５２が、同一平面となるように、又は、可能な限り同一平面に近づくように配置されている。図３に示されている例では、重なっていない行電極５１及び列電極５２の大きい菱形の部分５１ａ，５２ｂは、同一平面とすることができ、重なっている行電極の狭い連結部分５１ｂ及び列電極の狭い連結部分５２ｂは、これらの間の誘電体の薄層によって離隔させることができる。例えば、行電極の狭い連結部分５１ｂ又は列電極の狭い連結部分５２ｂを、該行電極及び該列電極の重なっている点での互いの接触回避を可能にするジャンパーとすることができる。なお、図３では、行電極５１と区別しやすくするため、多数のドットのハッチングで菱形の列電極５２を表しているが、実際の形状はドットの集合体ではなく、行電極５１と同様な菱形の平板状である。
【００２４】
入力動作のため、表示装置４０のカバーガラス板２１に指などが接触すると、接触点でカバーガラス板２１が僅かに下方に湾曲する。すると、液晶表示装置５全体が僅かに湾曲して、液晶表示装置５のＴＦＴ電極２０も僅かに湾曲する。ＴＦＴ電極２０は、押圧検出装置１０の上部電極３２を兼用しているので、上部電極３２の曲がった部分が下部電極３１に近づき、これにより、下部電極３１の隣接したパターン化電極間のフリンジ電界線の上部電極３２による干渉に基づいて、隣接したパターン化電極間の静電容量が変化する。
【００２５】
例えば、行電極５１に電圧を加えたときに列電極５２に流れる電流を検出する一方、列電極５２に電圧を加えたときに行電極５１に流れる電流を検出する。そして、ＴＦＴ電極２０の接近によるそれぞれの電流の変化を観察する。
【００２６】
すなわち、例えば、図２Ｄでは、ＴＦＴ電極２０が接地されており、励起電圧が、列電極５２（又は行電極５１）に印加される。この構成では、フリンジ電界線は、行電極５１、及び列電極５２の両側で対称（又は概ね対称）であり、一側では、フリンジ電界線は、表示装置４０の前面（最上面）側に向かって延び、他側では、フリンジ電界線は、表示装置４０の前面から離れる方向に延びている（例えば、表示装置４０の裏面側）。表示装置４０の前面側に向かってのフリンジ電界は、ＴＦＴ電極２０によって妨害されるため、行電極５１と列電極５２との間の測定静電容量が減少する傾向にある。表示装置４０が物体（例えば、導電性物体、又は非導電性物体）によって押圧されると、ＴＦＴ電極２０が隣接した行電極５１、及び列電極５２に向かって移動し、これにより、表示装置４０の前面のフリンジ電界のさらなる部分が、接地されたＴＦＴ電極２０によって短絡する、又は部分的に終端する。従って、列電極５２を流れる電流が、少なくとも部分的にＴＦＴ電極２０に流れ、これにより、隣接した行電極５１と列電極５２との間の測定静電容量が、接地平面が隣接した行電極５１、及び列電極５２に近づいていないときに測定された静電容量と比べると、僅かに減少する。隣接した行電極５１と列電極５２との間の静電容量の変化は、列電極５２に印加される励起電圧に基づいて行電極５１に結合された電流を測定することによって検出することができ、電流は、ＴＦＴ電極２０が隣接した行電極５１、及び列電極５２に近づいてＴＦＴ電極２０により多くの電流が流れると減少する。これらの電流の変化を第２制御部１０Ｃで検出することにより、静電容量の変化を検出することができる。
【００２７】
その後、第２制御部１０Ｃは、これらの検出した静電容量の変化に基づき、表示装置４０への入力が行われた否かを決定し、行電極５１又は列電極５２のどの静電容量が変化したかに基づいて、入力の位置を決定する。これにより、例えば、複数位置での入力を検出することが可能となっている。
【００２８】
上部電極３２としては、ＴＦＴ電極２０で兼用するので、バックライトの導光経路上に存在するため、透明材料とする。
【００２９】
下部電極３１は、透明又は不透明でよく、ＩＴＯ、銀ペースト、銅箔などで構成され、タンポ印刷などでの直接塗布、絶縁シートに電極を形成したフィルムの貼り付けなど任意の方法で配置することができる。
【００３０】
このような構成によれば、液晶表示装置５のカバーガラス板２１が指などで押圧されると、その押圧力は、液晶表示装置５の全体に伝達される。その押圧力が、液晶表示装置５に備えられた上部電極３２に伝達されて、湾曲変形する。上部電極３２の湾曲変形により、行電極５１と列電極５２との間での静電容量が変化し、押圧検出装置１０で押圧力を検出することができる。
【００３１】
このように、本実施形態の構成によれば、液晶表示装置５の表示部よりも内部側の部分に押圧検出装置１０を組み込んでいる。すなわち、押圧検出装置１０の上部電極３２が、液晶表示装置５の構成部材のうち液晶セル１６よりも下側の一部として備えられ（表示部（例えば液晶セル１６）よりも内部側（図１の下側）の構成部材の一例であるＴＦＴ電極２０として備えられ）、かつ、下部電極３１が液晶表示装置５とは別の部材（収納部６の底部４ａ）に配置されている。このため、カバーガラス板２１の押圧時に、カバーガラス板２１から液晶表示装置５に伝わる押圧力により行電極５１と列電極５２との間での静電容量が変化し、その変化を基に押圧検出装置１０で押圧力を検出することができる。このため、押圧力による変形が生じても表示画像の視認性を損なうことがない。これに対して、従来のように、静電容量タッチパネルが、液晶表示装置のカラーフィルタの上側に配置されている場合には、透過率が減少するとともに、静電容量タッチパネルが液晶表示装置の上部に配置された上側の部材が変形させられると、柔軟性の高い材料の場合、歪が大きくなり、画像の乱れの原因となっていた。これに対して、本実施形態では、液晶表示装置５のカラーフィルタ１７などの表示部よりも内部側に押圧検出装置１０が配置されるため、表示画像の視認性を損なうことがない。また、上部電極３２がＴＦＴ電極２０で兼用されるので、既存構造への追加部材が無く、製造も行いやすく、構成部材点数を削減することができ、全体的な厚さの減少に寄与することもできる。よって、本実施形態では、従来の方法よりも薄型化できる。
【００３２】
なお、本発明は前記実施形態に限定されるものではなく、その他種々の態様で実施できる。
【００３３】
例えば、変形例として、下部電極３１の形状は、いわゆるベタパターンと言われる単なる四角形の平板電極で構成することもできるとともに、上部電極３２の形状も、後述するように液晶表示装置５のＴＦＴ電極２０と兼用しない場合には、いわゆるベタパターンと言われる単なる四角形の平板電極でもよい。すなわち、下部電極３１と上部電極３２との形状をそれぞれ四角形の平板電極同士とする場合は、単純に、一点のみの押圧位置検出動作が行える。
【００３４】
このように、下部電極３１をベタパターンで構成する場合には、前記行電極５１と列電極５２との間での静電容量の変化は、上部電極３２と下部電極３１との間での静電容量の変化と読み替えればよい。
【００３５】
別の変形例として、上部電極３２と下部電極３１とは、一方の電極をいわゆるベタパターンと言われる単なる四角形の平板電極とし、他方の電極を所定のパターンの電極（パターン化電極）とするようにしてもよい。一例として、上部電極３２が液晶表示装置５のＴＦＴ電極２０を兼用するときには、図２Ｃに示すように、すべての電極をＧＮＤ電位に落とす。この場合は、下部電極３１のパターンにより一点のみ又は複数点の押圧位置検出動作が行える。
【００３６】
また、例えば、仕切り板４の有無にかかわらず、枠部材３とケース１とが一体的に筐体として構成されていてもよい。また、仕切り板４がなく、ケース１の底部又は筐体の底部が底部４ａとして機能してもよい。
【００３７】
また、隙間１１は、空気層で構成するものに限るものではない。例えば、図４として、空気層の代わりに発泡体層５５を配置するようにしてもよい。発泡体層５５は、液晶表示装置５に配置された上部電極３２の湾曲を許容する誘電体であり、隙間１１を強制的に確保することができる。発泡体層５５としては、静電容量を大きくする（言い換えれば、誘電率を上げる）もので、反発力がほとんど生じないものが好ましく、ウレタン発泡体が例示できる。発泡体層５５により、空気層よりも誘電率を向上させることができて、衝撃吸収が可能となる。なお、この発泡体層５５は、以下の変形例にもそれぞれ適用可能である。
【００３８】
また、液晶表示装置５に上部電極３２を備える方法の第１変形例として、図５に示すように、上部電極３２は、液晶表示装置５の下部偏光板１９の上面に配置することもできる。この第１変形例の場合、上部電極３２は、下部偏光板１９の上面でバックライトの導光経路上に存在するため、透明材料とする。
【００３９】
この第１変形例では、上部電極３２がＴＦＴ電極２０より下部電極３１に近いため、静電容量が大きくなり、良好なＳＮ比が得られる。また、第１変形例では、液晶の駆動とは独立して押圧を検知できるため、押圧検知時に電流変化位置を検知するためのスキャン速度を高くすることができる。
【００４０】
また、液晶表示装置５に上部電極３２を備える方法の第２変形例として、図６に示すように、上部電極３２は、液晶表示装置５の下部偏光板１９の下面に配置することもできる。この第２変形例の場合、上部電極３２は、下部偏光板１９の下面でバックライトの導光経路上に存在するため、透明材料とする。
【００４１】
この第２変形例では、上部電極３２がＴＦＴ電極２０より下部電極３１に近いため、静電容量が大きくなり、良好なＳＮ比が得られる。また、この第２変形例では、液晶の駆動とは独立して押圧を検知できるため、押圧検知時に電流変化位置を検知するためのスキャン速度を高くすることができる。
【００４２】
また、液晶表示装置５に上部電極３２を備える方法の第３変形例として、図７に示すように、上部電極３２は、液晶表示装置５の反射板１３を兼用することもできる。この第３変形例の場合、上部電極３２は、バックライトの導光経路上には存在しないため、下部電極３１と同様な材料で構成することができる。
【００４３】
この第３変形例では、透過率が低下せず、部材点数が減少し、全体として厚さが増加せず、薄型化に貢献できる。
【００４４】
また、液晶表示装置５に上部電極３２を備える方法の第４変形例として、図８に示すように、上部電極３２は、液晶表示装置５の反射板１３の下面に配置することもできる。この第４変形例の場合、上部電極３２は、バックライトの導光経路上には存在しないため、下部電極３１と同様な材料で構成することができる。反射板１３の下面の上部電極３２と、対向する下部電極３１との間には、強制的に隙間を確保するため、ドット状の突起５６ないし下部電極３１を覆う絶縁層を形成してもよい。
【００４５】
この第４変形例では、透過率が低下せず、製造が容易であり、前記した多数の変形例のうち、上部電極３２と下部電極３１との距離が最も短く静電容量が大きくなるため、良好なＳＮ比が得られる。
【００４６】
なお、前記様々な実施形態又は変形例のうちの任意の実施形態又は変形例を適宜組み合わせることにより、それぞれの有する効果を奏するようにすることができる。また、実施形態同士の組み合わせ又は実施例同士の組み合わせ又は実施形態と実施例との組み合わせが可能であると共に、異なる実施形態又は実施例の中の特徴同士の組み合わせも可能である。
【産業上の利用可能性】
【００４７】
本発明にかかる押圧検出機能付表示装置は、表示画像の視認性を損なうことがなく、既存構造への追加部材が少なく、従来の方法よりも薄型化できるといった優れた効果を有し、携帯機器のタッチパネル等として有用である。
【符号の説明】
【００４８】
１…ケース、２…バッテリ、３…枠部材、３ａ…枠状壁部、３ｂ…収納空間、４…仕切り板、４ａ…底部、５…液晶表示装置、５ａ…液晶表示装置本体部、５Ｃ…第１制御部、６…液晶表示装置収納部、７…制御基板、１０…押圧検出装置、１０Ｃ…第２制御部、１１…隙間、１２…ＬＥＤ、１３…反射板、１４…導光板、１５…ガラス基板、１６…液晶セル、１７…カラーフィルタ、１８…上部偏光板、１９…下部偏光板、２０…ＴＦＴ電極、２１…カバーガラス板、３１…下部電極、３２…上部電極、４０…押圧検出機能付表示装置、５１…行電極、５１ａ…行電極の大きい菱形の部分、５１ｂ…行電極の狭い連結部分、５２…列電極、５２ａ…列電極の大きい菱形の部分、５２ｂ…列電極の狭い連結部分、５５…発泡体層、５６…突起。
【図１】
2017083942.tif 000003
【図２Ａ】
2017083942.tif 000004
【図２Ｂ】
2017083942.tif 000005
【図２Ｃ】
2017083942.tif 000006
【図２Ｄ】
2017083942.tif 000007
【図３】
2017083942.tif 000008
【図４】
2017083942.tif 000009
【図５】
2017083942.tif 000010
【図６】
2017083942.tif 000011
【図７】
2017083942.tif 000012
【図８】
2017083942.tif 000013